(57)【要約】【課題】係合ピンを筒状収納部にスムーズに挿し込むことが可能で、落下を確実に防止することができ、長い期間の使用に耐えられるリング状イヤリングを提供する。【解決手段】金属製リング状イヤリング本体の一方の端部には係合ピンを、他方の端部には前記係合ピンを挿入可能な筒状収納部を一体的に備えたリング状イヤリングであって、前記係合ピンはリング状イヤリング本体の延長線上のほぼ円弧状として、先端にフック部を形成し、前記筒状挿入部はリング状イヤリング本体の延長線上のほぼ円弧状として、その開口端部は大きい径に形成するとともに、前記筒状挿入部の内奥には前記係合ピンのフック部を抜け止めする係合部が形成してあり、前記係合ピンを耳たぶの孔に挿入した上、係合ピンを前記筒状挿入部の開口端部からはめ込んでフック部を係合部に引っ掛けることにより、リング状イヤリングを耳たぶに装着するようにしたことを特徴とする。【選択図】 図２
2011143120.tif 000002
【特許請求の範囲】
【請求項１】
金属製リング状イヤリング本体の一方の端部には係合ピンを、他方の端部には前記係合ピンを挿入可能な筒状収納部を一体的に備えたリング状イヤリングであって、
前記係合ピンはリング状イヤリング本体の延長線上のほぼ円弧状として、先端にフック部を形成し、
前記筒状挿入部はリング状イヤリング本体の延長線上のほぼ円弧状として、その開口端部は大きい径に形成するとともに、前記筒状挿入部の内奥には前記係合ピンのフック部を抜け止めする係合部が形成してあり、
前記係合ピンを耳たぶの孔に挿入した上、係合ピンを前記筒状挿入部の開口端部からはめ込んでフック部を係合部に引っ掛けることにより、リング状イヤリングを耳たぶに装着するようにしたことを特徴とするリング状イヤリング。
【請求項２】
前記金属製リング状イヤリング本体が、金属線または金属パイプからなることを特徴とする請求項1記載のリング状イヤリング
【請求項３】
前記係合ピンが、リング状イヤリング本体の延長線上のほぼ円弧状をなすとともに、その先端がやや内向きに屈曲しており、係合ピンを前記筒状挿入部の開口端部からはめ込んだ際に、フック部が係合部により確実に引っ掛かるようにしてなることを特徴とする請求項1記載のリング状イヤリング
【発明の詳細な説明】
【技術分野】
【０００１】
この発明は、耳たぶへの装着が容易で、見映えのよいリング状イヤリングに関するものである。
【背景技術】
【０００２】
従来、この種のリング状イヤリングとしては、実開昭５０−９２９０号公報（特許文献１参照）のような、屈屈等自在な金属製イヤリング本体の一方の端部を細径のピン状にし、その金属製イヤリング本体の他方の端部に、一方端部の細径部が挿入自在な管状部を一体的に備え、上記イヤリング本体には適宜装飾部を一体的に備えてなるイヤリングが知られている。
また、前記ピンにバネ性を持たせ、V字状に屈曲させて前記管状部に押し込むようにして、ピンのバネ性で抜け止めするようにしたものも市販されている。
【０００３】
上述のイヤリングにおいては、単に細径のピンを例えばシリコンゴム類を充填した管状部に挿し込んだり、V字状のピンを管状部に挿し込むだけで耳たぶへの取り付けが完了するので、取り扱いが容易で一旦耳たぶに取り付けたのちは落下するおそれもなく使用することができるとされている。
【先行技術文献】
【特許文献】
【０００４】
【特許文献１】実開昭５０−９２９０号公報
【発明の概要】
【発明が解決しようとする課題】
【０００５】
上述のように、実開昭５０−９２９０号公報（特許文献１参照）のものや市販のＶ字状のピンを備えたものにおいては、単に細径のピンを管状部に挿し込むだけで耳たぶへの取り付けが完了するので、取り扱いが容易で一旦耳たぶに取り付けたのちは落下するおそれもなく使用することができるとされている。
【０００６】
しかしながら、屈屈等自在な金属製イヤリング本体を使用しているために単に細径のピンを管状部に挿し込むだけで耳たぶへの取り付けが完了するというメリットはあるものの、耳たぶに取り付けたのちに落下するおそれは解消できていなかった。
また、実開昭５０−９２９０号公報（特許文献１参照）のものにおいては細径のピンが直線状であるため、細径のピンを管状部にスムーズに挿し込むことができず、製造も煩雑でコストアップを招いてしまうという問題があった。
また、市販のＶ字状のピンを備えたものにおいても細径のピンを管状部にスムーズに挿し込むことができず、またＶ字状の角度が微妙な角度調整を必要とし、思うようなバネ性を得ることが難しいという問題があった。
【０００７】
この発明のリング状イヤリングは従来のイヤリングの前記欠点を改良するものであって、耳たぶに取り付けたのちにその落下を確実に防止することができ、しかも係合ピンを筒状収納部にスムーズに挿し込むことが可能であって、製造も簡単でコストアップを招くこともなく、長い期間の使用に耐えられるリング状イヤリングを提供しようとするものである。
【課題を解決するための手段】
【０００８】
すなわちこの発明のリング状イヤリングは、金属製リング状イヤリング本体の一方の端部には係合ピンを、他方の端部には前記係合ピンを挿入可能な筒状収納部を一体的に備えたリング状イヤリングであって、
前記係合ピンはリング状イヤリング本体の延長線上の円弧状として、先端にフック部を形成し、
前記筒状挿入部はリング状イヤリング本体の延長線上の円弧状として、その開口端部は大きい径に形成するとともに、前記筒状挿入部の内奥には前記係合ピンのフック部を抜け止めする係合部が形成してあり、
前記係合ピンを耳たぶの孔に挿入した上、係合ピンを前記筒状挿入部の開口端部からはめ込んでフック部を係合部に引っ掛けることにより、リング状イヤリングを耳たぶに装着するようにしたことを特徴とするものである。
【０００９】
この発明のリング状イヤリングにおいて、前記金属製リング状イヤリング本体が、金属線または金属パイプからなることをも特徴とするものである。
【００１０】
この発明のリング状イヤリングにおいて、前記係合ピンが、リング状イヤリング本体の延長線上のほぼ円弧状をなすとともに、その先端がやや内向きに屈曲しており、係合ピンを前記筒状挿入部の開口端部からはめ込んだ際に、フック部が係合部により確実に引っ掛かるようにしてなることをも特徴とするものである。
【発明の効果】
【００１１】
以上のようにこの発明においては、金属製リング状イヤリング本体の一端に取り付けた係合ピンをその他端に取り付けた筒状収納部にスムーズに挿し込むことが可能であって、しかも耳たぶに取り付けたのちにリング状イヤリングの落下を確実に防止することができ、したがって長い期間の使用に耐えられるリング状イヤリングを提供することができるようになった。
また、耳たぶへの取り付けに際して「パチッ」という係合音や感触があって、正確にはめ込めているかどうかの確認がたやすくでき、使用者に安心感を与えることができるという商品として多大な付加価値を持つものとすることができる。
【図面の簡単な説明】
【００１２】
【図１】この発明のリング状イヤリングの実施の形態を示す側面図である。
【図２】第１実施例の係合ピンを筒状収納部に挿入した状態の拡大断面図である。
【図３】第２実施例の係合ピンを筒状収納部に挿入した状態の拡大断面図である。
【図４】第３実施例の係合ピンを筒状収納部に挿入した状態の拡大断面図である。
【発明を実施するための形態】
【００１３】
以下、この発明のリング状イヤリングの実施の形態を図面に基いてより詳しく説明する。
図１ないし図４に示す実施例において、１１は金属製リング状イヤリング本体で、その一方の端部には係合ピン１２が、また他方の端部には前記係合ピン１２を挿入可能な筒状収納部１３が一体的に取り付けられている。
【００１４】
前記金属製リング状イヤリング本体１１の素材としては、金や銀、プラチナ、あるいはそれらの合金のみならず、その他の金属、あるいはそれらとプラスチック等との複合材を使用することができる。
また、それらの素材をワイヤ状、あるいはパイプ状等に加工したものとすることが可能である。前記金属製リング状イヤリング本体１１は、指で係合ピン１２を筒状収納部１３に向けて押し込めるような可撓性を有するものであっても、１対の円弧状部材のほぼ中央を軸着したいわゆる中折れ式のものであってもよい。
さらに、金属製リング状イヤリング本体１１の形状も、内部に空間を備えた形状であれば、円形、楕円形のみならず、三角形やひし形等の全体形状を備えたものであってもよい。
【００１５】
そして、前記係合ピン１２はリング状イヤリング本体１１の延長線上の円弧状に形成されており、また先端にはフック部２１が形成してある。前記円弧状とは、金属製リング状イヤリング本体１１の撓む「軌道に沿った」という程度の意味である。
このフック部２１は、その先端の内周側に形成したＶ溝やＵ溝、その他の凹溝２２であったり、その先端の内周側に形成した先端側が突出した段差とすることができる。
【００１６】
前記筒状挿入部１３もまた、リング状イヤリング本体１１の延長線上の円弧状に形成されており、断面形状も漏斗状としてその開口端部３１は大きい径に形成するとともに、前記筒状挿入部１３の内奥には前記係合ピン１２のフック部２１を抜け止めする係合部３２が形成してある。
この係合部３２としては、図２および図３のような窓状の開口部であっても、図４のような筒状の開口端部であってもよい。
【００１７】
この発明のリング状イヤリングの使用に際しては、前記係合ピン１２を耳たぶの孔に挿入した上、係合ピン１２を前記筒状挿入部１３の開口端部３１からはめ込んでフック部２１を係合部３２に引っ掛けるようにすれば、リング状イヤリングを耳たぶに確実に装着することができるようになるのである。
その際、耳たぶへの取り付けに際して「パチッ」という係合音や感触があって、使用者に大きな安心感を与えることができる。
【００１８】
図２に示すリング状イヤリングにおいては、前記係合ピン１２の側がリング状イヤリング本体１１の内周側に傾けるか、前記筒状挿入部１３の径とほぼ等しい太さに形成されており、係合ピン１２を前記筒状挿入部１３の開口端部３１からはめ込んだ際に、フック部２１が係合部３２に確実に引っ掛かるようになっている。
【００１９】
図３に示すリング状イヤリングにおいては、前記係合ピン１２がリング状イヤリング本体１１の延長線上のほぼ円弧状をなすとともに、その先端がやや内向きに屈曲させてあるため、係合ピン１２を前記筒状挿入部１３の開口端部３１からはめ込んだ際に、係合ピン１２の背面が前記筒状挿入部１３の対向する内周面に当接して押され、フック部２１が係合部３２により確実に引っ掛かるようになっている。
図４に示すリング状イヤリングにおいては、前記筒状挿入部１３の内奥部分は貫通するように形成されている。
【００２０】
いずれにしても、前記係合ピン１２は漏斗状の開口端部３１から無理なく挿入することができ、また係合ピン１２の背面が前記筒状挿入部１３の対向する内周面に当接して押されるため、フック部２１が係合部３２に確実に引っ掛かるようになり、使用中にリング状イヤリングが耳たぶから抜け落ちてしまうという問題点が解消できたのである。
【産業上の利用可能性】
【００２１】
この発明のリング状イヤリングの使用に際しては、前記係合ピン１２を耳たぶの孔に挿入した上、係合ピン１２を前記筒状挿入部１３の開口端部３１からはめ込んでフック部２１を係合部３２に引っ掛けるようにすれば、リング状イヤリングを耳たぶに確実に装着することができる。
したがって、図示したような単なる円弧状のリング状イヤリングとしてのみならず、リング状イヤリングの範疇を越えない限り、その他のデザインや、吊下げ用の装飾体をリング状イヤリング本体１１その他の箇所に連結した、種々のリング状イヤリング等にも適用可能であることはいうまでもない。
【符号の説明】
【００２２】
１１  リング状イヤリング本体
１２  係合ピン
１３  筒状収納部
２１  フック部
２２  凹溝
３１  開口端部
３２  係合部
【図１】
2011143120.tif 000003
【図２】
2011143120.tif 000004
【図３】
2011143120.tif 000005
【図４】
2011143120.tif 000006